(57)【特許請求の範囲】
【請求項１】
内部に電線を有する内部ケーブルと、
上記内部ケーブルに併設する空気穴が設けられた中空管と、
上記内部ケーブル及び中空管の外側を被う外被部とを備え、
上記中空管に補強網を被って強化することを特徴とする空気穴付きケーブル。
【請求項２】
内部に電線を有する内部ケーブルと、
上記内部ケーブルの外側を被う外被部と、
上記外被部の外側を被って補強する補強管と、
上記外被部と補強管との間を充填する充填部と、
上記充填部を貫通する空気穴を形成する切り欠き部とを備えたことを特徴とする空気穴付きケーブル。
【請求項３】
筺体と、
請求項第１項記載の空気穴付きケーブルと、
上記筺体に設けられ、上記空気穴付きケーブルを挿通する挿通孔とを備え、
上記筺体内部に挿通した空気穴付きケーブルに入っている内部ケーブルの外被の一部を除去して電線を露出させ、該電線を残った外被まで充填剤が被うように充填させることを特徴とするケーブル付き防水装置。
【請求項４】
筺体と、
請求項第１項記載の空気穴付きケーブルと、
上記筺体に設けられ、上記空気穴付きケーブルを挿通する挿通孔とを備え、
上記筺体内部に挿通した上記空気穴ケーブルの外被部を挿通孔内側で除去して内部ケーブルと中空管とを露出させるとともに、挿通孔と空気穴付きケーブルとを上記挿通孔内側の外被部から露出した内部ケーブル及び中空管を被うように接着剤にて接着することを特徴とするケーブル付き防水装置。
【発明の詳細な説明】
【０００１】
【発明の属する技術分野】
この発明は、空気穴付きケーブル及び空気穴付きケーブルを用いたケーブル付き防水装置に係わり、特に外部から防水装置内に空気を供給する中空管を有する空気穴付きケーブル及び空気穴付きケーブルを用いたケーブル付き防水装置に関する。
【０００２】
【従来の技術】
図７は、従来のケーブル付き防水装置の構成を示す断面図であり、図において、１は筺体、２は筺体１内に設けられた電子ユニット、３は開口部カバー、４は筺体１と開口部３との間に設けられたゴムガスケット、５は筺体１に開口部カバー３を取り付ける取付ネジである。また、６は外部と電子ユニット２との間を接続し、電子ユニット２に電力等を供給する空気穴付きケーブル、７は空気穴付きケーブル６内の後述する電線１９と電子ユニット２とを接続する接栓、８は貫通金具、９はケーブルゴムガスケット、１０は貫通金具押さえ、１１は貫通金具ゴムガスケット、１２はケーブル貫通孔である。
【０００３】
また、１３はケーブル貫通孔１２に設けられ貫通金具８と螺合する貫通孔ネジ部、１４は貫通金具８に設けられ貫通金具押さえ１０と螺合する貫通金具ネジ部である。また、図８は例えば特開昭５９−３７６０５号公報に記載された空気穴付きケーブル６の断面図であり、図９は空気穴付きケーブル６の側面図である。図において、１５は電線１９を有する内部ケーブル、１６は外被部、１７は樹脂製チューブ１８により構成される空気穴である。
【０００４】
次に、ケーブル付き防水装置の組立動作を説明する。最初に、空気穴付きケーブル６の周囲に貫通金具８、ケーブルゴムガスケット９、貫通金具押さえ１０及び貫通金具ゴムガスケット１１とを配置する。次に、空気穴付きケーブル６をケーブル貫通孔１２に貫通させた後、内部ケーブル１５及び樹脂製チューブ１８を露出させる。更に、内部ケーブル１５から電線１９を露出させ図９のような構成とする。
【０００５】
次に、電線１９を接栓７に接続する。次に、貫通金具８と貫通孔ネジ部１３とを螺合させ、貫通金具ゴムガスケット１１を圧縮させる。次に、貫通金具ネジ部１８と貫通金具押さえ１０とを螺合させ、ケーブルゴムガスケット９を圧縮させる。また、筺体１の開口部ゴムガスケット４を配置し、開口部カバー３を筺体１に取付ネジ５で取り付けて組立動作を終了する。
【０００６】
これにより、ケーブル貫通孔１２と貫通金具８との間は貫通金具ゴムガスケット１１により気密となり、貫通金具８と貫通金具押さえ１０との間はケーブルゴムガスケット９により気密となる。これにより、筺体１内の防水性は保たれる。また、樹脂製チューブ１４にて構成された空気穴１７により筺体１内は外部との呼吸を行うことができ、例えば温度変化により筺体１内の気圧が下がって発生する筺体１内の結露等を防止できる。
【０００７】
【発明が解決しようとする課題】
従来のケーブル付き防水装置は以上のような構成をしており、以下のような課題があった。
（１）筺体１に空気穴付きケーブル６を取り付ける場合、貫通金具８等の構成部品が多く組立が大変である。
（２）ケーブルゴムガスケット９及び貫通金具ゴムガスケット１１は、圧縮しすぎると劣化を起こしやすい。また、劣化を起こすと気密性が失われ、水がケーブル貫通孔１２と貫通金具８との間及び貫通金具８と貫通金具押さえ１０との間から筺体１へしみ込む恐れがある。
【０００８】
（３）例えば、貫通金具押さえ１０を強く閉めすぎるとケーブル６の外被部１６に損傷が発生する場合がある。これにより、水が外被部１６と樹脂製チューブ１４との間から筺体１にしみ込む恐れがある。
（４）樹脂製チューブ１４は柔らかく、屈曲等により外被部１６に損傷が発生した場合には樹脂製チューブ１４まで損傷を受ける恐れがあり、水の空気穴１７より筺体１にしみ込む恐れがある。
（５）空気穴ケーブル６が屈曲すると内部の樹脂製チューブ１８も屈曲し、空気穴１７が閉ざされ、空気の通りが悪くなる場合がある。
【０００９】
この発明は、上述のような課題を解決するためになされたもので、第１の目的は、損傷を防止できる空気穴付きケーブルを提供するものである。第２の目的は、空気穴付きケーブルと筺体のケーブル挿通孔との間の水漏れを簡単な構成で防止できるケーブル付き防水装置を提供するものである。第３の目的は、空気穴付きケーブルが損傷しても筺体内に水が漏れる恐れのないケーブル付き防水装置を提供するものである。
【００１０】
【課題を解決するための手段】
この発明に係わる空気穴付きケーブルは、内部に電線を有する内部ケーブルと、上記内部ケーブルに併設する空気穴が設けられた中空管と、上記内部ケーブル及び中空管の外側を被う外被部とを備え、上記中空管に補強網を被って強化するものである。
【００１１】
また、次の発明に係わる空気穴付きケーブルは、内部に電線を有する内部ケーブルと、上記内部ケーブルの外側を被う外被部と、上記外被部の外側を被って補強する補強管と、上記外被部と補強管との間を充填する充填部と、上記充填部を貫通する空気穴を形成する切り欠き部とを備えたものである。
【００１２】
また、次の発明に係わるケーブル付き防水装置は、筺体と、請求項第１項記載の空気穴付きケーブルと、上記筺体に設けられ、上記空気穴付きケーブルを挿通する挿通孔とを備え、上記筺体内部に挿通した空気穴付きケーブルに入っている内部ケーブルの外被の一部を除去して電線を露出させ、該電線を残った外被まで充填剤が被うように充填させるものである。
【００１３】
また、次の発明に係わるケーブル付き防水装置は、筺体と、請求項第１項記載の空気穴付きケーブルと、上記筺体に設けられ、上記空気穴付きケーブルを挿通する挿通孔とを備え、上記筺体内部に挿通した上記空気穴ケーブルの外被部を挿通孔内側で除去して内部ケーブルと中空管とを露出させるとともに、挿通孔と空気穴付きケーブルとを上記挿通孔内側の外被部から露出した内部ケーブル及び中空管を被うように接着剤にて接着するものである。
【００１７】
【発明の実施の形態】
実施の形態１．
以下、この発明の一実施形態を図について説明する。図１はこの発明によるケーブル付き防水装置の構成図であり、図２は図１のＡ部拡大図である。図において、２１は筺体であり、２１ａは挿通孔、２１ｂが開口部である。また、２２は筺体２１に装着される電子ユニット、２３は開口部カバー、２４はゴムガスケット、２５は筺体１に開口部カバー２３を取り付ける取付ネジである。また、６ａは空気穴付きケーブルであり、２６が外被部である。また、２７は筺体２１と空気穴付きケーブル６ａとを接着する接着剤であり、主に弾性接着剤が用いられる。
【００１８】
また、２８は内部ケーブル、２９は接着剤からなる充填剤、３０は樹脂製チューブであり、３０ａは樹脂製チューブ３０を補強する補強網である。また、３１は接栓、３２は内部ケーブル２８内の電線、３３は樹脂製チューブ３０により設けられた空気穴である。また、図３は空気穴付きケーブル６ａの断面図、図４は空気穴付きケーブル６ａの側面図である。
【００１９】
ここで、弾性接着剤について説明する。弾性接着剤とは、特殊変形シリコーン樹脂を柔軟なマトリクスとし、エポキシ樹脂を剛性なドメインとする海島構造を有する接着剤である。これにより、弾性接着剤は以下の性質を有する。
・硬化物はゴム状弾性体であり、外的な振動、衝撃、剥離に強い。
・冷熱繰返しなどのあらゆる環境で安定。
・幅広い被着体に良好な接着性をもつ。
・弾性であるので、変形追従性に優れている。
・強靱であり、接着耐久性に優れている。
また、弾性瀬着剤の詳細な説明は、「弾性接着」（工業材料、１９９７年１月号、ｐ．７４〜ｐ．７５、日刊工業新聞社発行）に記載されている。
【００２０】
次に、図１に示すケーブル付き防水装置の組立動作を説明する。最初に、空気穴付きケーブル６ａから内部ケーブル２８及び樹脂製チューブ３０を図１のように露出させる。次に、内部ケーブル２８を図２のように加工する。つまり、内部ケーブル２８の外被の一部を除去して電線３２を露出させ、露出させた電線３２に充填剤２９を充填させる。この場合、図２のように残った内部ケーブル２８まで充填剤２９が覆うように充填させる。また、電線３２が撚糸構造の場合、充填剤２９が撚糸構造の内部まで浸み込むように充填させる。
【００２１】
これにより、空気穴付きケーブル６ａは図４のような構成となる。次に、空気穴付きケーブル６ａを挿通孔２１ａに挿通し、内部ケーブル２８内の電線３２と接栓３１とを接続する。次に、空気穴付きケーブル６ａを接着剤２７により挿通孔２１ａに図１のように接着させる。また、外被部２６と露出した内部ケーブル２８及び樹脂製チューブ３０との間を接着剤２７で充填する。尚、外被部２６と露出した内部ケーブル２８、又は樹脂製チューブ３０との間を充填する場合は、別の充填剤を使用しても構わない。次に、筺体２１にゴムガスケット２４を取り付け、開口部カバー２３により開口部２１ａを被い、開口部カバー２３を筺体２１に取付ネジ２５によって取り付けて組立動作を終了する。
【００２２】
これにより、挿通孔２１ａと空気穴付きケーブル６ａとを瀬着剤２７で接着するので、簡単に組立動作が簡略化し構成部品を減らすことができる。また、接着剤２７に弾性接着剤を使用した場合、上記弾性接着剤の性質により筺体２１と空気穴付きケーブル６ａとを強固に保持できる。また、外被部２６が損傷して外被部２６内に水が浸入しても、外被部２６から露出した内部ケーブル２８及び樹脂製チューブ３０を被うように接着した接着剤２７が、筺体１内部への水の侵入を防止するので、筺体１内の防水性が保持される。
【００２３】
更に、内部ケーブル２８まで損傷して、内部ケーブル２８内に水が侵入しても、充填剤２９が水の侵入を防止するので筺体１内の防水性が保持される。また、樹脂製チューブ３０は補強網３０ａにより補強されているので、破損する恐れが少なくなり、樹脂製チューブ３０内には水が侵入しにくくなる。更に、補強網３０ａが樹脂製チューブ３０の屈曲を規制するため、樹脂製チューブ３０が屈曲しにくくなり、空気穴３３が常に開いた状態となり、空気の通りが常に良好となる。
【００２４】
実施の形態２．
図５は、実施の形態２によるケーブル付き防水装置の構成図であり、図１と同一符号は同一又は同等の機能を示し、説明を省略する。図において、６ｂは空気穴付きケーブルであり、４４は外被部である。また、図６は空気穴付きケーブル６ｂの断面図であり、図において、４１は網線またはアルミ粉により構成された補強管、４２は例えばポリ塩化ビニール等で構成される充填部、４３は充填部４２により構成される空気穴である。
【００２５】
次に、図５に示すケーブル付き防水装置の組立動作を説明する。最初に、補強管４１より外被部４４及び内部ケーブル２８を図５のように露出させる。次に、空気穴付きケーブル６ｂを挿通孔２１ａに挿通し、内部ケーブル２８内の電線３２と接栓３１とを接続する。次に、挿通孔２１ａと空気穴付きケーブル６ｂとを接着剤２７で接着する。この場合、空気穴付きケーブル６ｂから露出した空気穴４３を塞がないように接着させる。次に、筺体２１にゴムガスケット２４を取り付け、開口部カバー２３により開口部２１ａを被い、開口部カバー２３を筺体２１に取付ネジ２５によって取り付けて組立動作を終了する。
【００２６】
上記の構成により、補強管４１が空気穴付きケーブル６ｂの損傷を防止するので、空気穴４３及び内部ケーブル２８に水が侵入する恐れが無くなる。このため、内部ケーブル２８に対し、図１に示すような充填剤２９を使用して防水構造とする動作を省略でき組立動作が更に簡単になる。更に、補強管４１が空気穴付きケーブル６ｂを屈曲しにくくしているため、空気穴４３における空気の通りは常に良好となる。
【００２７】
【発明の効果】
この発明によれば、空気穴付きケーブルは、空気穴が設けられた中空管に補強網を被って強化することで中空管の屈曲を規制するため、中空管による空気穴が常に開いた状態となり、簡単な構成で空気の通りが常に良好となる効果がある。
【００２８】
また、次の発明によれば、空気穴付きケーブルは、補強管が外被部の外側を被って補強し、充填部が上記外被部と補強管との間を充填し、切り欠き部が上記充填部を貫通する空気穴を形成することで、補強管が空気穴付きケーブルの損傷を防止するので空気穴及び内部ケーブルに水が浸入する恐れがなくなり、また空気穴が屈曲しにくくなり、空気の通りが常に良好となる効果がある。
【００２９】
また、次の発明によれば、ケーブル付き防水装置は、筺体内部に挿通した空気穴付きケーブルに入っている内部ケーブルの外被の一部を除去して電線を露出させ、該電線を残った外被まで充填剤が被うように充填させることで、充填剤が水の浸入を防止するので筐体内の防水性が保持される効果がある。
【００３０】
また、次の発明によれば、ケーブル付き防水装置は、筺体内部に挿通した空気穴ケーブルの外被部を挿通孔内側で除去して内部ケーブルと中空管とを露出させるとともに、挿通孔と空気穴付きケーブルとを上記挿通孔内側の外被部から露出した内部ケーブル及び中空管を被うように接着剤にて接着することで、外被部から露出した内部ケーブル及び中空管を被うように接着した接着剤が筐体内部への水の浸入を防止するので、筐体内の防水性が保持される効果がある。
【図面の簡単な説明】
【図１】  この発明の実施の形態１によるケーブル付き防水装置の構成図である。
【図２】  図１のＡ部拡大図である。
【図３】  図１に示す空気穴付きケーブルの断面図である。
【図４】  図１に示す空気穴付きケーブルの側面図である。
【図５】  この発明の実施の形態２によるケーブル付き防水装置の構成図である。
【図６】  図２に示す空気穴付きケーブルの断面図である。
【図７】  従来のケーブル付き防水装置の構成図である。
【図８】  従来の空気穴付きケーブルの断面図である。
【図９】  従来の空気穴付きケーブルの側面図である。
【符号の説明】
６ａ，６ｂ  空気穴付きケーブル、２１  筺体、２１ａ  挿通孔、２６  外被部、２７  接着剤、２８  内部ケーブル、２９  充填剤、３０  樹脂製チューブ、３０ａ  補強網、３２  電線、３３  空気穴、４１  補強管、４２  充填部、４３  空気穴、４４  外被部。
【図１】
0003680524.tif 000002
【図２】
0003680524.tif 000003
【図３】
0003680524.tif 000004
【図４】
0003680524.tif 000005
【図５】
0003680524.tif 000006
【図６】
0003680524.tif 000007
【図７】
0003680524.tif 000008
【図８】
0003680524.tif 000009
【図９】
0003680524.tif 000010